【誤訳訂正書】
【提出日】平成31年2月22日(2019.2.22)
【誤訳訂正１】
【訂正対象書類名】特許請求の範囲
【訂正対象項目名】全文
【訂正方法】変更
【訂正の内容】
【特許請求の範囲】
【請求項１】
（ａ）（ｉ）ポリオール、およびウレタン結合、尿素結合またはイソシアヌレート結合の形成を触媒する触媒を少なくとも含む組成物（ＺＰ）、ならびに
（ｉｉ）６未満のＨＬＢ値を有しケイ素原子を有さない界面活性剤ＴＤ
を含み、組成物中の界面活性剤ＴＤの合計が、組成物（ＺＰ）の１００質量部当たり０．０５質量部から１０質量部までを占める、組成物（Ｚ１）を、
（ｂ）少なくとも１つのポリイソシアネート
と反応させる工程を含む、ポリウレタンフォームまたはポリイソシアヌレートフォームを作製する方法であって、
反応させる工程が、過フッ素化炭化水素、少なくとも１つの過フッ素化ヒドロカルビル部分を有するエーテルおよび少なくとも１つの過フッ素化ヒドロカルビル部分を有するケトンからなる群より選択される核形成剤、ならびに発泡剤の存在下で実施され、核形成剤が、発泡剤と異なり、
核形成剤および発泡剤を混合して組成物（Ｚ２）を得て、前記組成物（Ｚ２）を、少なくとも１つのポリイソシアネートと反応させる工程の前に前記組成物（Ｚ１）に添加する、
方法。
【請求項２】
前記界面活性剤ＴＤが、式（Ｉ）
Ｒ−［Ｃ（Ｏ）］ｘ−Ｙ      （Ｉ）
（式中、Ｃ（Ｏ）が、カルボニル基であり、ｘが、０または１であり、Ｒが、少なくとも４個の炭素原子を有する直鎖状、分岐状または環状の飽和または不飽和ヒドロカルビル部分であり、Ｙが、Ｏ−Ｒ１またはＮＲ１Ｒ２またはＯ−ＣＨ２−ＣＨ（ＯＲ３）−ＣＨ２ＯＨであり、それぞれのＲ１およびＲ２が、同一または異なる（ＣｎＨ２ｎＯ）ｍ−Ｈ部分であり、ｎが、２から４までであり、さらにｍが、０から１５までであり、Ｒ３が、ＨまたはＲ’またはＣ（Ｏ）Ｒ’であり、Ｒ’が、Ｒについて規定したのと同様のヒドロカルビル部分であり、Ｒ部分と同じであってもまたは異なっていてもよい。）
の少なくとも１つの化合物である、請求項１に記載の方法。
【請求項３】
前記界面活性剤ＴＤが、イソトリデカノールまたはイソノナノールである、請求項１または２に記載の方法。
【請求項４】
核形成剤が、過フッ素化炭化水素および少なくとも１つの過フッ素化ヒドロカルビル部分を有するエーテルからなる群より選択される少なくとも１つの化合物である、請求項１から３のいずれか一項に記載の方法。
【請求項５】
核形成剤が、組成物（ＺＰ）１００質量部に対して０．１質量部から１０質量部までの範囲の量で使用される、請求項１から４のいずれか一項に記載の方法。
【請求項６】
核形成剤が、ペルフルオロペンタンＣ５Ｆ１２、ペルフルオロヘキサンＣ６Ｆ１４、ペルフルオロシクロヘキサンＣ６Ｆ１２、ペルフルオロヘプタンＣ７Ｆ１６、ペルフルオロオクタンＣ８Ｆ１８、実験式Ｃ５Ｆ１０、Ｃ６Ｆ１２、Ｃ７Ｆ１４、Ｃ８Ｆ１６の過フッ素化オレフィン、１，１，２，３，３，３−ヘキサフルオロ−１−プロペンのダイマー、メトキシヘプタフルオロプロパン、メトキシノナフルオロブタンおよびエトキシノナフルオロブタンからなる群より選択される、請求項１から５のいずれか一項に記載の方法。
【請求項７】
少なくとも１つのポリオールが、ポリエーテルアルコールおよびポリエステルアルコールからなる群より選択される、請求項１から６のいずれか一項に記載の方法。
【請求項８】
少なくとも１つのポリイソシアネートが、芳香族多官能性イソシアネートからなる群より選択される、請求項１から７のいずれか一項に記載の方法。
【請求項９】
ポリウレタンフォームまたはポリイソシアヌレートフォームを作製するための安定化済み組成物（ＺＳ）を製造するためのキットであって、
（Ｉ）少なくとも１つのポリオール、およびウレタン結合、尿素結合またはイソシアヌレート結合の形成を触媒する少なくとも１つの触媒を含む組成物（ＺＰ）、ならびに
６未満のＨＬＢ値を有しケイ素原子を有さない少なくとも１つの界面活性剤ＴＤ
を少なくとも含み、組成物中の界面活性剤ＴＤの合計が、組成物（ＺＰ）の１００質量部当たり０．０５質量部から１０質量部までを占める、組成物（Ｚ１）、ならびに
（ＩＩ）過フッ素化炭化水素、少なくとも１つの過フッ素化ヒドロカルビル部分を有するエーテルおよび少なくとも１つの過フッ素化ヒドロカルビル部分を有するケトンからなる群より選択される核形成剤、ならびに核形成剤と異なる発泡剤を少なくとも含む組成物（Ｚ２）
からなる、キット。
【請求項１０】
（ａ）少なくとも１つのポリオール、およびウレタン結合、尿素結合またはイソシアヌレート結合の形成を触媒する少なくとも１つの触媒を少なくとも含む、少なくとも１つの組成物（ＺＰ）、
（ｂ）６未満のＨＬＢ値を有しケイ素原子を有さない少なくとも１つの界面活性剤ＴＤであり、安定化済み組成物中の界面活性剤ＴＤの合計が、組成物（ＺＰ）の１００質量部当たり０．０５質量部から１０質量部までを占める、界面活性剤ＴＤ、
（ｃ）過フッ素化炭化水素、少なくとも１つの過フッ素化ヒドロカルビル部分を有するエーテルおよび少なくとも１つの過フッ素化ヒドロカルビル部分を有するケトンからなる群より選択される少なくとも１つの核形成剤、
（ｄ）核形成剤と異なる少なくとも１つの発泡剤、
を少なくとも含む、安定化済み組成物（ＺＳ）であって、
前記組成物（ＺＳ）が、肉眼では前記組成物（ＺＳ）が２０℃の周囲温度で２つ以上の相からならない相安定な液体である、
安定化済み組成物（ＺＳ）。
【請求項１１】
請求項１から８のいずれか一項に記載の方法によってまたは請求項９もしくは１０に記載の安定化済み組成物（ＺＳ）を使用することによって得ることができるまたは得られた、ポリウレタンフォーム。
【請求項１２】
請求項１から８のいずれか一項に記載の方法によってまたは請求項９もしくは１０に記載の安定化済み組成物（ＺＳ）を使用することによって得ることができるまたは得られた、ポリイソシアヌレートフォーム。
【請求項１３】
請求項１１に記載のポリウレタンフォームを、絶縁材、サンドイッチ型要素、温水貯蔵システム、ボイラー、冷却装置、絶縁フォーム、冷蔵庫または冷凍庫として、またはこれらの製造において使用する、方法。
【請求項１４】
請求項１２に記載のポリイソシアヌレートフォームを、絶縁材、サンドイッチ型要素、温水貯蔵システム、ボイラー、冷却装置、絶縁フォーム、冷蔵庫または冷凍庫として、またはこれらの製造において使用する、方法。
【請求項１５】
絶縁材として請求項１１に記載のポリウレタンフォームを含む、絶縁パネル。
【誤訳訂正２】
【訂正対象書類名】明細書
【訂正対象項目名】００４９
【訂正方法】変更
【訂正の内容】
【００４９】
界面活性剤ＴＤは好ましくは、式（Ｉ）
Ｒ−［Ｃ（Ｏ）］ｘ−Ｙ      （Ｉ）
（式中、Ｃ（Ｏ）が、カルボニル基であり、ｘが、０または１であり、Ｒが、少なくとも４個の炭素原子、好ましくは８個から３０個までの炭素原子、より好ましくは９個から２０個までの炭素原子、より一層好ましくは９個から１８個までの炭素原子を有する直鎖状、分岐状または環状の飽和または不飽和ヒドロカルビル部分であり、好ましくは飽和ヒドロカルビル部分であり、Ｙが、Ｏ−Ｒ１またはＮＲ１Ｒ２またはＯ−ＣＨ２−ＣＨ（ＯＲ３）−ＣＨ２ＯＨであり、それぞれのＲ１およびＲ２が、同一または異なる（ＣｎＨ２ｎＯ）ｍ−Ｈ部分であり、ｎが、２から４までであり、好ましくはｎが、２から３までであり、より好ましくはｎが、２であり、さらにｍが、０から１５までであり、好ましくはｍが、０から１０までであり、より好ましくはｍが、０または１から６までであり、Ｒ１およびＲ２が、互いに対して同一であってもまたは異なっていてもよく、Ｒ３が、ＨまたはＲ’またはＣ（Ｏ）Ｒ’であり、Ｒ’が、Ｒについて規定したのと同様のヒドロカルビル部分であり、Ｒ部分と同じであってもまたは異なっていてもよい。）
の少なくとも１つの化合物である。
【誤訳訂正３】
【訂正対象書類名】明細書
【訂正対象項目名】００５０
【訂正方法】変更
【訂正の内容】
【００５０】
したがって、さらなる一実施形態において、本発明は、上記ポリウレタンフォームまたはポリイソシアヌレートフォームを作製する方法であって、界面活性剤ＴＤが好ましくは、式（Ｉ）
Ｒ−［Ｃ（Ｏ）］ｘ−Ｙ      （Ｉ）
（式中、Ｃ（Ｏ）が、カルボニル基であり、ｘが、０または１であり、Ｒが、少なくとも４個の炭素原子、好ましくは８個から３０個までの炭素原子、より好ましくは９個から２０個までの炭素原子、より一層好ましくは９個から１８個までの炭素原子を有する直鎖状、分岐状または環状の飽和または不飽和ヒドロカルビル部分であり、Ｙが、Ｏ−Ｒ１またはＮＲ１Ｒ２またはＯ−ＣＨ２−ＣＨ（ＯＲ３）−ＣＨ２ＯＨであり、それぞれのＲ１およびＲ２が、同一または異なる（ＣｎＨ２ｎＯ）ｍ−Ｈ部分であり、ｎが、２から４までであり、好ましくはｎが、２から３までであり、より好ましくはｎが、２であり、さらにｍが、０から１５までであり、好ましくはｍが、０から１０までであり、より好ましくはｍが、０または１から６までであり、Ｒ３が、ＨまたはＲ’またはＣ（Ｏ）Ｒ’であり、Ｒ’が、Ｒについて規定したのと同様のヒドロカルビル部分であり、Ｒ部分と同じであってもまたは異なっていてもよい。）
の少なくとも１つの化合物である、方法を提供する。
【誤訳訂正４】
【訂正対象書類名】明細書
【訂正対象項目名】００５４
【訂正方法】変更
【訂正の内容】
【００５４】
式（Ｉ）（式中、ｘが、０であり、Ｙが、Ｏ−Ｒ１である。）の界面活性剤ＴＤは好ましくは、オクタノール、ノナノール、イソノナノール、カプリルアルコール、デカノール、ラウリルアルコール、トリデカノール、イソトリデカノール、ミリスチルアルコール、セチルアルコール、ステアリルアルコールまたはイソステアリルアルコールをベースとするアルコールアルコキシレート、より好ましくはこれらのエトキシレートからなる群より選択される。対応する脂肪アルコールアルコキシレートは、従来技術に記載のようにして得ることができる。
【誤訳訂正５】
【訂正対象書類名】明細書
【訂正対象項目名】００５５
【訂正方法】変更
【訂正の内容】
【００５５】
式（Ｉ）（式中、ｘが、０であり、Ｙが、Ｏ−Ｒ１であり、ｍが、０である。）の界面活性剤ＴＤは好ましくは、オクタノール、ノナノール、特にイソノナノール、カプリルアルコール、ラウリルアルコール、トリデカノール、イソトリデカノール、ミリスチルアルコール、セチルアルコール、ステアリルアルコール、イソステアリルアルコール、トリデカノール、デカノール、ドデカノールまたはこれらの混合物からなる群より選択され、好ましくはイソトリデカノール、および／または、好ましくはもしくはイソノナノール（３，５，５−トリメチル−１−ノナノール）である。
【誤訳訂正６】
【訂正対象書類名】明細書
【訂正対象項目名】００５６
【訂正方法】変更
【訂正の内容】
【００５６】
式（Ｉ）（式中、ｘが、０であり、Ｙが、ＮＲ１Ｒ２であり、ｍが、０である。）の界面活性剤ＴＤは好ましくは、脂肪アミン、好ましくは、オクチルアミン、ノニルアミン、イソノニルアミン、カプリルアミン、ラウリルアミン、トリデシルアミン、イソトリデシルアミン、ミリスチルアミン、セチルアミン、ステアリルアミンまたはイソステアリルアミンからなる群より選択される。ｍおよびｎの両方が０ではない場合、界面活性剤ＴＤは、より好ましくは、上記アミンのエトキシレートである。
【誤訳訂正７】
【訂正対象書類名】明細書
【訂正対象項目名】００５７
【訂正方法】変更
【訂正の内容】
【００５７】
式（Ｉ）（式中、ｘが、０であり、Ｙが、Ｏ−ＣＨ２−ＣＨ（ＯＲ３）−ＣＨ２ＯＨである。）の界面活性剤ＴＤはより好ましくは、飽和または不飽和アルコール、例えば、オクタノール、ノナノール、イソノナノール、カプリルアルコール、ラウリルアルコール、トリデカノール、イソトリデカノール、ミリスチルアルコール、セチルアルコール、ステアリルアルコールまたはイソステアリルアルコールのグリセロールモノ−またはジエーテルである。
【誤訳訂正８】
【訂正対象書類名】明細書
【訂正対象項目名】００５９
【訂正方法】変更
【訂正の内容】
【００５９】
式（Ｉ）（式中、ｘが、１であり、Ｙが、Ｏ−Ｒ１である。）の界面活性剤ＴＤは好ましくは、例えば酪酸（ブタン酸）、カプロン酸（ヘキサン酸）、カプリル酸（オクタン酸）、カプリン酸（デカン酸）、ラウリン酸（ドデカン酸）、ミリスチン酸（テトラデカン酸）、パルミチン酸（ヘキサデカン酸）、ステアリン酸（オクタデカン酸）、アラキジン酸（エイコサン酸）、ベヘン酸（ドコサン酸）、リグノセリン酸（テトラコサン酸）、パルミトレイン酸（（Ｚ）−９−ヘキサデセン酸）、オレイン酸（（Ｚ）−９−ヘキサデセン酸）、エライジン酸（（Ｅ）−９−オクタデセン酸）、ｃｉｓ−バクセン酸（（Ｚ）−１１−オクタデセン酸）、リノール酸（（９Ｚ，１２Ｚ）−９，１２−オクタデカジエン酸）、α−リノレン酸（（９Ｚ，１２Ｚ，１５Ｚ）−９，１２，１５−オクタデカトリエン酸）、γ−リノレン酸（（６Ｚ，９Ｚ，１２Ｚ）−６，９，１２−オクタデカトリエン酸）、ジホモ−γ−リノレン酸（（８Ｚ，１１Ｚ，１４Ｚ）−８，１１，１４−エイコサトリエン酸）、アラキドン酸（（５Ｚ，８Ｚ，１１Ｚ，１４Ｚ）−５，８，１１，１４−エイコサテトラエン酸）、エルカ酸（（Ｚ）−１３−ドコセン酸）、ネルボン酸（（Ｚ）−１５−テトラコセン酸）、リシノール酸、ヒドロキシステアリン酸およびウンデセニル酸ならびにこれらの混合物等、最大３０個の炭素原子を有する飽和または不飽和脂肪酸のアルコキシレート、より好ましくはエトキシレートからなる群より選択される。
【誤訳訂正９】
【訂正対象書類名】明細書
【訂正対象項目名】００６０
【訂正方法】変更
【訂正の内容】
【００６０】
式（Ｉ）（式中、ｘが、１であり、Ｙが、Ｏ−ＣＨ２−ＣＨ（ＯＲ３）−ＣＨ２ＯＨである。）の界面活性剤ＴＤは好ましくは、モノ−およびジグリセリド、より好ましくは、例えば、酪酸（ブタン酸）、カプロン酸（ヘキサン酸）、カプリル酸（オクタン酸）、カプリン酸（デカン酸）、ラウリン酸（ドデカン酸）、ミリスチン酸（テトラデカン酸）、パルミチン酸（ヘキサデカン酸）、ステアリン酸（オクタデカン酸）、アラキジン酸（エイコサン酸）、ベヘン酸（ドコサン酸）、リグノセリン酸（テトラコサン酸）、パルミトレイン酸（（Ｚ）−９−ヘキサデセン酸）、オレイン酸（（Ｚ）−９−ヘキサデセン酸）、エライジン酸（（Ｅ）−９−オクタデセン酸）、ｃｉｓ−バクセン酸（（Ｚ）−１１−オクタデセン酸）、リノール酸（（９Ｚ，１２Ｚ）−９，１２−オクタデカジエン酸）、α−リノレン酸（（９Ｚ，１２Ｚ，１５Ｚ）−９，１２，１５−オクタデカトリエン酸）、γ−リノレン酸（（６Ｚ，９Ｚ，１２Ｚ）−６，９，１２−オクタデカトリエン酸）、ジホモ−γ−リノレン酸（（８Ｚ，１１Ｚ，１４Ｚ）−８，１１，１４−エイコサトリエン酸）、アラキドン酸（（５Ｚ，８Ｚ，１１Ｚ，１４Ｚ）−５，８，１１，１４−エイコサテトラエン酸）、エルカ酸（（Ｚ）−１３−ドコセン酸）、ネルボン酸（（Ｚ）−１５−テトラコセン酸）、リシノール酸、ヒドロキシステアリン酸およびウンデセニル酸ならびにこれらの混合物等、最大３０個の炭素原子を有する直鎖飽和または不飽和和脂肪酸のモノ−またジグリセリドからなる群より選択される。
【誤訳訂正１０】
【訂正対象書類名】明細書
【訂正対象項目名】００６１
【訂正方法】変更
【訂正の内容】
【００６１】
式（Ｉ）（式中、ｘが、１であり、Ｙが、ＮＲ１Ｒ２である。）の界面活性剤ＴＤは好ましくは、モノ−またはジアルカノールアミン、より好ましくはジイソプロパノールアミンまたはジエタノールアミンの脂肪酸アミドからなる群より選択される。酸アミドは、従来技術において公知の方法、例えば、ＤＥ１８０２５００、ＤＥ１８０２５０３、ＤＥ１７４５４４３、ＤＥ１７４５４５９またはＵＳ３５７８６１２で記載された方法に従って得ることができる。ここで、対応するカルボン酸は、例えば原材料として使用することができ、アミド形成は、水の脱離によって起きる。例えばメチルエステル等のカルボン酸エステルも同様に使用することができ、この場合、メタノールが脱離する。特に好ましいのは、天然の脂肪および油に由来したグリセリドの使用であり、この場合、アミド化の途中に形成されたグリセロールは、反応混合物中に残存し得る。同様に、例えばトリグリセリドとアミンとの反応において、反応混合物は、反応条件が相応に選択されるのであれば、ジグリセリドおよびモノグリセリドをさらに含み得る。カルボン酸エステルが使用される場合、例えばアルコキシド等の対応する触媒は、上記した水の脱離に比較して比較的温和な条件下でのアミド化を可能にするために任意に使用される。より高い官能性のアミン（ジエチレントリアミン（ＤＥＴＡ）、２−（２−アミノエチルアミノ）エタノール（ＡＥＥＡ）、トリス（ヒドロキシメチル）アミノメタン（ＴＲＩＳ））が使用される場合、アミドの製造により、イミダゾリンまたはオキサゾリン等の対応する環状アミドの形成も起こり得る。
【誤訳訂正１１】
【訂正対象書類名】明細書
【訂正対象項目名】００６６
【訂正方法】変更
【訂正の内容】
【００６６】
式（Ｉ）（式中、ｘが、１である。）の界面活性剤を製造するための有用なカルボン酸には例えば、脂肪族もしくは芳香族炭化水素またはこれらの誘導体をベースとするモノカルボン酸、ジカルボン酸、トリカルボン酸、テトラカルボン酸が挙げられる。
【誤訳訂正１２】
【訂正対象書類名】明細書
【訂正対象項目名】００７４
【訂正方法】変更
【訂正の内容】
【００７４】
少なくとも１つのＯＨ官能基を有する式（Ｉ）（式中、ｘが、１である。）の化合物を製造するために有用なヒドロキシルアミンには例えば、Ｐｏｌｙｅｔｈｅｒａｍｉｎ  Ｄ２０００（ＢＡＳＦ）、Ｐｏｌｙｅｔｈｅｒａｍｉｎ  Ｄ２３０（ＢＡＳＦ）、Ｐｏｌｙｅｔｈｅｒａｍｉｎ  Ｔ４０３（ＢＡＳＦ）、Ｐｏｌｙｅｔｈｅｒａｍｉｎ  Ｔ５０００（ＢＡＳＦ）またはＨｕｎｔｓｍａｎ製の対応するＪｅｆｆ−ａｍｉｎ（登録商標）グレード等、ジエタノールアミン、モノエタノールアミン、ジイソプロパノール−アミン、イソプロパノールアミン、ジグリコールアミン（２−（２−アミノエトキシ）エタノール）、３−アミノ−１−プロパノールおよびポリエーテルアミンが挙げられる。
【誤訳訂正１３】
【訂正対象書類名】明細書
【訂正対象項目名】００７５
【訂正方法】変更
【訂正の内容】
【００７５】
本発明の目的のために有用な式（Ｉ）（式中、ｘが、１である。）の化合物はまた、ＯＨ官能基またはＮＨ官能基を有する市販のアミド、例えば、Ｅｖｏｎｉｋ  Ｇｏｌｄｓｃｈｍｉｄｔ製のＲｅｗｏｍｉｄ（登録商標）ＤＣ２１２Ｓ、Ｒｅｗｏｍｉｄ（登録商標）ＤＯ２８０ＳＥ、Ｒｅｗｏｃｉｄ（登録商標）ＤＵ１８５ＳＥ、Ｒｅｗｏｌｕｂ（登録商標）ＫＳＭ、ＲＥＷＯＭＩＤ（登録商標）Ｃ２１２、ＲＥＷＯＭＩＤ（登録商標）ＩＰＰ２４０、ＲＥＷＯＭＩＤ（登録商標）ＳＰＡ、Ｒｅｗｏｐｏｎ（登録商標）ＩＭ  ＡＯ、Ｒｅｗｏｐｏｎ（登録商標）ＩＭ  ＡＮまたはＲｅｗｏｐｏｎ（登録商標）ＩＭ  Ｒ４０およびＤＲＥＷＰＬＡＳＴ（登録商標）１５４、ＮＩＮＯＬ（登録商標）１３０１、ＮＩＮＯＬ（登録商標）４０−ＣＯ、ＮＩＮＯＬ（登録商標）１２８１、ＮＩＮＯＬ（登録商標）ＣＯＭＦ、ＮＩＮＯＬ（登録商標）Ｍ−１０およびエトキシ化ジエタノールアミド、例えばＳｔｅｐａｎ製のＮＩＮＯＬ（登録商標）Ｃ−４ｌ、ＮＩＮＯＬ（登録商標）Ｃ−５、ＮＩＮＯＬ（登録商標）１３０１またはＳａｓｏｌ製のＤＡＣＡＭＩＤ（登録商標）ＭＡＬおよびＤＡＣＡＭＩＤ（登録商標）ＤＣであってもよい。
【誤訳訂正１４】
【訂正対象書類名】明細書
【訂正対象項目名】０１４８
【訂正方法】変更
【訂正の内容】
【０１４８】
２．  前記界面活性剤ＴＤが、式（Ｉ）
Ｒ−［Ｃ（Ｏ）］ｘ−Ｙ      （Ｉ）
（式中、Ｃ（Ｏ）が、カルボニル基であり、ｘが、０または１であり、Ｒが、少なくとも４個の炭素原子、好ましくは８個から３０個までの炭素原子、より好ましくは９個から２０個までの炭素原子、より一層好ましくは９個から１８個までの炭素原子を有する直鎖状、分岐状または環状の飽和または不飽和ヒドロカルビル部分であり、Ｙが、Ｏ−Ｒ１またはＮＲ１Ｒ２またはＯ−ＣＨ２−ＣＨ（ＯＲ３）−ＣＨ２ＯＨであり、それぞれのＲ１およびＲ２が、同一または異なる（ＣｎＨ２ｎＯ）ｍ−Ｈ部分であり、ｎが、２から４までであり、好ましくはｎが、２から３までであり、より好ましくはｎが、２であり、さらにｍが、０から１５までであり、好ましくはｍが、０から１０までであり、より好ましくはｍが、０または１から６までであり、Ｒ３が、ＨまたはＲ’またはＣ（Ｏ）Ｒ’であり、Ｒ’が、Ｒについて規定したのと同様のヒドロカルビル部分であり、Ｒ部分と同じであってもまたは異なっていてもよい。）の少なくとも１つの化合物である、実施形態１に従った方法。